(57)【特許請求の範囲】
【請求項１】
中空の伸縮棒（１１）を具備するケーブル布設具（１０）を用いて、該伸縮棒内を貫通させたのちにケーブル（１）を該伸縮棒の先端部に固定し、該伸縮棒を第１の地点から第２の地点に向かって伸ばしていくことにより、該第１の地点から該第２の地点へ該ケーブルを布設し、
前記第２の地点に前記ケーブルが届くと、該第２の地点において前記伸縮棒を縮めたのち、該伸縮棒を該ケーブルに沿って該ケーブルの先端に向かって移動させることにより、該ケーブルの先端から前記ケーブル布設具を抜き取る、
ことを特徴とする、ケーブル布設方法。
【請求項２】
前記ケーブル布設具が、前記伸縮棒の先端部に取り付けられたリング（１２）をさらに具備し、
先端にフック（２２）が取り付けられたかつ末端に前記ケーブルが接続された牽引索（２１）を前記伸縮棒の根元から先端に向けて貫通させたのち、該フックを前記リングに引っ掛け、該伸縮棒を伸ばしていくことにより、該牽引索および該ケーブルを該伸縮棒によって引っ張って送り出していく、
ことを特徴とする、請求項１記載のケーブル布設方法。
【請求項３】
中空の伸縮棒（１１）と該伸縮棒の先端部に取り付けられたリング（１２）とを具備するケーブル布設具（１０）を用いて、先端にフック（２２）が取り付けられたかつ末端にケーブル（１）が接続された牽引索（２１）を前記伸縮棒の根元から先端に向けて貫通させたのち、前記フックを前記リングに引っ掛け、該伸縮棒を伸ばしていき、該牽引索および該ケーブルを該伸縮棒によって引っ張って第１の地点から第２の地点に向かって送り出すことにより、該第１の地点から該第２の地点へ前記ケーブルを布設することを特徴とする、ケーブル布設方法。
【請求項４】
中空の伸縮棒（３１）を具備するケーブル布設具（３０）を用いてケーブル（１）を第１の地点から第２の地点へ布設するケーブル布設方法であって、
前記第２の地点において前記伸縮棒内を貫通させたのちに牽引索（３４）を該伸縮棒の先端部に固定し、
前記伸縮棒を前記第２の地点から前記第１の地点に向かって伸ばしていくことにより、前記牽引索を該第１の地点まで送り出し、
前記第１の地点において前記牽引索に前記ケーブルを接続し、
前記第２の地点において前記牽引索を巻き取ることにより、前記伸縮棒内を貫通させて前記ケーブルを前記第１の地点から該第２の地点へ布設し、
前記第２の地点に前記ケーブルが届くと、該第２の地点において前記伸縮棒を縮めたのち、該伸縮棒を該ケーブルに沿って該ケーブルの先端に向かって移動させることにより、該ケーブルの先端から前記ケーブル布設具を抜き取る、
ことを特徴とする、ケーブル布設方法。
【請求項５】
前記ケーブル布設具が、前記伸縮棒の先端部に取り付けられたリング（３２）と、該伸縮棒の末端部に取り付けられたリール（３５）とをさらに具備し、
先端にフック（３３）が取り付けられた前記牽引索を前記伸縮棒の根元から先端に向けて貫通させたのち、該フックを前記リングに引っ掛け、該伸縮棒を伸ばしていくことにより、該牽引索を該伸縮棒によって引っ張って送り出していき、
前記第１の地点において、前記ケーブルの先端に取り付けられた他のリングに前記フックを引っ掛け、
前記第２の地点において、前記リールによって前記牽引索を巻き取ることにより、前記伸縮棒内を貫通させて前記ケーブルを前記第１の地点から該第２の地点へ布設する、
ことを特徴とする、請求項４記載のケーブル布設方法。
【請求項６】
中空の伸縮棒（３１）と該伸縮棒の先端部に取り付けられたリング（３２）と該伸縮棒の末端部に取り付けられたリール（３５）とを具備するケーブル布設具（３０）を用いてケーブル（１）を第１の地点から第２の地点へ布設するケーブル布設方法であって、
前記第２の地点において、先端にフック（３３）が取り付けられた牽引索（３４）を前記伸縮棒の根元から先端に向けて貫通させたのち、該フックを前記リングに引っ掛け、該伸縮棒を前記第１の地点に向かって伸ばしていくことにより、該牽引索を該伸縮棒によって引っ張って該第１の地点まで送り出し、
前記第１の地点において、前記ケーブルの先端に取り付けられた他のリングに前記フックを引っ掛けることにより、前記牽引索に該ケーブルを接続し、
前記第２の地点において、前記リールによって前記牽引索を巻き取ることにより、前記伸縮棒内を貫通させて前記ケーブルを前記第１の地点から該第２の地点へ布設する、
ことを特徴とする、ケーブル布設方法。
【発明の詳細な説明】
【技術分野】
【０００１】
本発明は、ケーブル布設方法に関し、特に、光ドロップケーブルや細い電線などの被覆が破損し易いケーブルを布設するのに好適なケーブル布設方法に関する。
【背景技術】
【０００２】
従来、たとえば電柱から家屋へ光ドロップケーブルを引き込む場合、樹木または家屋が密集して作業員が入所できない場所では、家屋側の作業員が牽引索（たとえば、ロープ）を電柱側の作業員に向けて渡し、電柱側の作業員が牽引索に光ドロップケーブルを接続したのちに、家屋側の作業員が牽引索を引っ張ることにより、光ドロップケーブルを引き込んでいる。そのため、光ドロップケーブルや牽引索が樹木や家屋に接触して、光ドロップケーブルが傷付いたり樹木や家屋が傷付いたりすることがあった。
このようなことは、布設ルートに接触するおそれのある物が存在する所で光ドロップケーブルや電線などのケーブルを布設する場合（たとえば、天井裏にケーブルを布設する場合や、階下から階上へケーブルを布設する場合）にも生じていた。
【０００３】
ケーブルを布設するための手段として、下記の特許文献１には、狭い天井内の電線送込み作業を容易にかつ確実に行い得るように、伸縮自在な竿本体と、竿本体の先端に付設されて電線を引掛ける先端具とを備えた配線棒において、竿本体の先端またはその近傍に所定間隔をもって取り付けられた第１および第２連結部材と、先端が第１連結部材に固着されるとともに基端が第２連結部材に取り付けられた倒立山型の弯曲部材とからなる乗越え具を備えた配線棒が開示されている。
また、下記の特許文献２には、通線場所の狭い空間にて小径に弯曲可能でありかつ真直復元性を有して遠い所にある目的箇所に真っ直ぐに送り込めることができて作業能率が向上するように、グラスファイバーにて外径ｄを４．０ｍｍ〜１０．０ｍｍで長さ寸法Ｌを１．０ｍ〜３．０ｍの長さとして可撓性かつ真直復元性を有する中実棒材を成形し、中実棒材を複数本順次連結するとともに、先端に電線連繋部を取り付けて、天井裏または壁の中などの狭い空間部に通線可能に構成された通線用操作棒が開示されている。
【０００４】
なお、下記の特許文献３には、危険場所や高所配線などにおいて離れた位置から探査器を配線に着脱することができるように、伸縮自在の伸縮棒の先端に角度調節自在の自由雲台が設けられ、自由雲台に取り付けられた保持具に探査器が保持され、保持具が一対の可動アームを探査器のクランプ内に挿入して保持し、ロープを手元から引くことにより一対の可動アームの対向間が開くので、クランプを開くことができ、伸縮棒による長さ調節および自由雲台による角度調節によって離れた場所の配線に遠隔操作により探査器を着脱することができる探査器クランプ補助操作棒が開示されている。
【特許文献１】特開平９−１２１４１９号公報
【特許文献２】登録実用新案３０３２５４９号公報
【特許文献３】特開２００２−４８８３４号公報
【発明の開示】
【発明が解決しようとする課題】
【０００５】
しかしながら、上記の特許文献１に開示された配線棒は、乗越え具を備えることにより天井裏面の野ぶちや受け材などの障害物を滑り上がって乗り越えるのには有効であるかもしれないが、布設ルートに接触するおそれのある物が存在する所でもケーブルなどを傷付けずにケーブルを布設するのには有効ではない。
また、上記の特許文献２に開示された通線用操作棒は、可撓性かつ真直復元性を有する中実棒材を使用することにより通線場所の狭い空間にて小径に弯曲可能でありかつ真直復元性を有して遠い所にある目的箇所に真っ直ぐに送り込むのには有効であるかもしれないが、布設ルートに接触するおそれのある物が存在する所でもケーブルなどを傷付けずにケーブルを布設するのには有効ではない。
さらに、上記の特許文献３に開示された探査器クランプ補助操作棒は、ロープを手元から引いてクランプを開き、伸縮棒によって長さ調節するとともに自由雲台によって角度調節することによって、離れた場所の配線に遠隔操作により探査器を着脱することができるようにしたものである。
【０００６】
本発明の目的は、布設ルートに接触するおそれのある物が存在する所でもケーブルを傷付けずに布設することができるケーブル布設方法を提供することにある。
【課題を解決するための手段】
【０００７】
本発明の第１のケーブル布設方法は、中空の伸縮棒（１１）を具備するケーブル布設具（１０）を用いて、該伸縮棒内を貫通させたのちにケーブル（１）を該伸縮棒の先端部に固定し、該伸縮棒を第１の地点から第２の地点に向かって伸ばしていくことにより、該第１の地点から該第２の地点へ該ケーブルを布設し、前記第２の地点に前記ケーブルが届くと、該第２の地点において前記伸縮棒を縮めたのち、該伸縮棒を該ケーブルに沿って該ケーブルの先端に向かって移動させることにより、該ケーブルの先端から前記ケーブル布設具を抜き取ることを特徴とする。
ここで、前記ケーブル布設具が、前記伸縮棒の先端部に取り付けられたリング（１２）をさらに具備し、先端にフック（２２）が取り付けられたかつ末端に前記ケーブルが接続された牽引索（２１）を前記伸縮棒の根元から先端に向けて貫通させたのち、該フックを前記リングに引っ掛け、該伸縮棒を伸ばしていくことにより、該牽引索および該ケーブルを該伸縮棒によって引っ張って送り出していってもよい。
本発明の第２のケーブル布設方法は、中空の伸縮棒（１１）と該伸縮棒の先端部に取り付けられたリング（１２）とを具備するケーブル布設具（１０）を用いて、先端にフック（２２）が取り付けられたかつ末端にケーブル（１）が接続された牽引索（２１）を前記伸縮棒の根元から先端に向けて貫通させたのち、前記フックを前記リングに引っ掛け、該伸縮棒を伸ばしていき、該牽引索および該ケーブルを該伸縮棒によって引っ張って第１の地点から第２の地点に向かって送り出すことにより、該第１の地点から該第２の地点へ前記ケーブルを布設することを特徴とする。
本発明の第３のケーブル布設方法は、中空の伸縮棒（３１）を具備するケーブル布設具（３０）を用いてケーブル（１）を第１の地点から第２の地点へ布設するケーブル布設方法であって、前記第２の地点において前記伸縮棒内を貫通させたのちに牽引索（３４）を該伸縮棒の先端部に固定し、前記伸縮棒を前記第２の地点から前記第１の地点に向かって伸ばしていくことにより、前記牽引索を該第１の地点まで送り出し、前記第１の地点において前記牽引索に前記ケーブルを接続し、前記第２の地点において前記牽引索を巻き取ることにより、前記伸縮棒内を貫通させて前記ケーブルを前記第１の地点から該第２の地点へ布設し、前記第２の地点に前記ケーブルが届くと、該第２の地点において前記伸縮棒を縮めたのち、該伸縮棒を該ケーブルに沿って該ケーブルの先端に向かって移動させることにより、該ケーブルの先端から前記ケーブル布設具を抜き取ることを特徴とする。
ここで、前記ケーブル布設具が、前記伸縮棒の先端部に取り付けられたリング（３２）と、該伸縮棒の末端部に取り付けられたリール（３５）とをさらに具備し、先端にフック（３３）が取り付けられた前記牽引索を前記伸縮棒の根元から先端に向けて貫通させたのち、該フックを前記リングに引っ掛け、該伸縮棒を伸ばしていくことにより、該牽引索を該伸縮棒によって引っ張って送り出していき、前記第１の地点において、前記ケーブルの先端に取り付けられた他のリングに前記フックを引っ掛け、前記第２の地点において、前記リールによって前記牽引索を巻き取ることにより、前記伸縮棒内を貫通させて前記ケーブルを前記第１の地点から該第２の地点へ布設してもよい。
本発明の第４のケーブル布設方法は、中空の伸縮棒（３１）と該伸縮棒の先端部に取り付けられたリング（３２）と該伸縮棒の末端部に取り付けられたリール（３５）とを具備するケーブル布設具（３０）を用いてケーブル（１）を第１の地点から第２の地点へ布設するケーブル布設方法であって、前記第２の地点において、先端にフック（３３）が取り付けられた牽引索（３４）を前記伸縮棒の根元から先端に向けて貫通させたのち、該フックを前記リングに引っ掛け、該伸縮棒を前記第１の地点に向かって伸ばしていくことにより、該牽引索を該伸縮棒によって引っ張って該第１の地点まで送り出し、前記第１の地点において、前記ケーブルの先端に取り付けられた他のリングに前記フックを引っ掛けることにより、前記牽引索に該ケーブルを接続し、前記第２の地点において、前記リールによって前記牽引索を巻き取ることにより、前記伸縮棒内を貫通させて前記ケーブルを前記第１の地点から該第２の地点へ布設することを特徴とする。
【発明の効果】
【０００８】
本発明のケーブル布設方法は、以下に示す効果を奏する。
（１）ケーブル布設具の伸縮棒内を貫通させてケーブルを布設することができるので、布設ルートに接触するおそれのある物が存在する所でもケーブルを傷付けずに布設することができる。
（２）ケーブル布設具の伸縮棒内を貫通させたのちにケーブルを伸縮棒の先端部に固定し、伸縮棒を第１の地点から第２の地点に向かって伸ばしていくことによりケーブルを第１の地点から第２の地点へ布設することができるので、牽引索を第１の地点に向けて渡したのちに第２の地点において牽引索を引っ張ることによりケーブルを布設する従来のケーブル布設方法と比べて、作業性を向上させることができる。
【発明を実施するための最良の形態】
【０００９】
上記目的を、中空の伸縮棒内を貫通させたのちにケーブルを伸縮棒の先端部に固定し、伸縮棒を第１の地点から第２の地点に向かって伸ばしていくことにより実現した。
【実施例１】
【００１０】
以下、本発明のケーブル布設方法の実施例について、図面を参照して説明する。
まず、本発明の第１の実施例によるケーブル布設方法について、布設ルートに接触するおそれのある樹木が存在する場所で光ドロップケーブル１を電柱から家屋へ引き込む場合を例として説明する。
【００１１】
本実施例によるケーブル布設方法において使用されるケーブル布設具１０は、図１に示すように、円筒状（中空）の伸縮棒１１と、伸縮棒１１の先端部の上面に取り付けられたリング１２とを具備する。なお、リング１２は、伸縮棒１１の先端部の上面に取外しできないように取り付けられてもよいし取外しできるように取り付けられてもよい。
【００１２】
伸縮棒１１は５段構成とされているが、光ドロップケーブル１の布設距離に応じて伸縮棒１１の段数を決めればよい。また、伸縮棒１１の根元側および先端側の開口面の径は、布設するケーブルの径に応じて決めればよい（たとえば、径が５ｍｍ程度の光ドロップケーブル１を布設する場合には、伸縮棒１１の根元側および先端側の開口面の径はそれぞれ約３５ｍｍおよび約１５ｍｍとする。）。さらに、伸縮棒１１の各段の長さは、伸縮棒１１の段数および光ドロップケーブル１の布設距離に応じて決めればよい（たとえば、５段構成で布設距離が約７ｍである場合には、伸縮棒１１の各段の長さは約１〜１．５ｍとする。）。
なお、以下では説明の簡単のために、伸縮棒１１の先端側の段を「第１段」と称し、伸縮棒１１の先端側から２番目の段を「第２段」と称し、伸縮棒１１の先端側から３番目の段を「第３段」と称し、伸縮棒１１の先端側から４番目の段を「第４段」と称し、伸縮棒１１の根元側の段を「第５段」と称する。
【００１３】
次に、ケーブル布設具１０を用いて電柱（第１の地点）から家屋（第２の地点）へ光ドロップケーブル１を引き込む際の作業手順について、図２乃至図４を参照して説明する。
電柱側の作業員は、図２（ａ）に示すように、伸縮棒１１を最も縮めた状態で、かつ、伸縮棒１１の先端を家屋側に向けて、ケーブル布設具１０を保持する。このとき、この作業員が作業し易いように、伸縮棒１１の第５段の上面に肩掛けベルトを取り付けて、この作業員が肩掛けベルトを肩に掛けてケーブル布設具１０を保持するようにしてもよい。
【００１４】
続いて、電柱側の作業員は、図２（ｂ）に示すように、先端にフック２２が取り付けられたロープ２１（牽引索）をケーブル布設具１０の伸縮棒１１の根元から先端に向けて伸縮棒１１内を貫通させる。なお、ロープ２１の末端には光ドロップケーブル１が接続されている（図３（ａ）参照）。その後、電柱側の作業員は、図２（ｃ）に示すようにフック２２をケーブル布設具１０のリング１２に引っ掛けて、ロープ２１を伸縮棒１１の先端部に固定する。
【００１５】
続いて、電柱側の作業員は、図３（ａ）〜（ｄ）に示すように、伸縮棒１１の先端が家屋側の作業員に届くまで伸縮棒１１を第１段から第４段の順番で家屋に向かって伸ばしていく。これにより、ロープ２１および光ドロップケーブル１は、伸縮棒１１によって引っ張られて電柱から家屋に向かって送り出されていく。このとき、光ドロップケーブル１は伸縮棒１１によって保護されているため途中に樹木があっても樹木と接触することはないので、光ドロップケーブル１が布設中に傷付くことはない。
【００１６】
伸縮棒１１の先端が届くと、家屋側の作業員は、図４（ａ）に示すように、フック２２をケーブル布設具１０のリング１２から取り外したのち、光ドロップケーブル１が図４（ｂ）に示すように伸縮棒１１の先端から出てくるまでロープ２１を引っ張る。
【００１７】
続いて、家屋側の作業員は、図４（ｂ）〜（ｄ）に示すように、ケーブル布設具１０の伸縮棒１１の第５段が家屋側の作業員に届くまで伸縮棒１１を第２段から第５段の順番で引き寄せていく（すなわち、伸縮棒１１を縮めていく）。伸縮棒１１の第５段が届くと、家屋側の作業員は、光ドロップケーブル１とロープ２１とを切り離したのち、ケーブル布設具１０を光ドロップケーブル１に沿って光ドロップケーブル１の先端に向かって移動させることにより、光ドロップケーブル１の先端からケーブル布設具１０を抜き取る。
【００１８】
以上説明したように、本実施例によるケーブル布設方法では、光ドロップケーブル１を電柱から家屋に向かって送り出すことにより光ドロップケーブル１を布設することができるので、家屋側の作業員がロープ２１を電柱側の作業員に向けて渡したのちに家屋側の作業員がロープ２１を引っ張ることにより光ドロップケーブル１を引き込んでいる従来のケーブル布設方法と比べて、作業性を向上させることができる。
【００１９】
なお、ケーブル布設棒１０の長さが足りなかったときには、円筒状（中空）の延長棒を用意しておき、この延長棒を伸縮棒１１の第５段に接続するようにすればよい。
【実施例２】
【００２０】
次に、本発明の第２の実施例によるケーブル布設方法について、布設ルートに接触するおそれのある樹木が存在する場所で光ドロップケーブル１を電柱から家屋へ引き込む場合を例として説明する。
【００２１】
本実施例によるケーブル布設方法において使用されるケーブル布設具３０は、図５に示すように、円筒状（中空）の伸縮棒３１と、伸縮棒３１の先端部の上面に取り付けられたリング３２と、先端にフック３３が取り付けられたロープ３４（牽引索）と、伸縮棒３１の根元部の側面に取り付けられた、かつ、ロープ３４を巻き取るためのリール３５とを具備する。
なお、リング３２は伸縮棒３１の先端部の上面に取外しできないように取り付けられてもよいし取外しできるように取り付けられてもよい。
同様に、リール３５は伸縮棒３１の根元部の側面に取外しできないように取り付けられてもよいし取外しできるように取り付けられてもよい。なお、リール３５は伸縮棒３１の根元部の上面に取り付けられてもよい。
【００２２】
伸縮棒３１は、図１に示した伸縮棒１１と同様に構成されている。
なお、以下では説明の簡単のために、伸縮棒３１の先端側の段を「第１段」と称し、伸縮棒３１の先端側から２番目の段を「第２段」と称し、伸縮棒３１の先端側から３番目の段を「第３段」と称し、伸縮棒３１の先端側から４番目の段を「第４段」と称し、伸縮棒３１の根元側の段を「第５段」と称する。
【００２３】
次に、ケーブル布設具３０を用いて電柱（第１の地点）から家屋（第２の地点）へ光ドロップケーブル１を引き込む際の作業手順について、図６乃至図９を参照して説明する。
家屋側の作業員は、図６（ａ）に示すように、伸縮棒３１を最も縮めた状態で、かつ、伸縮棒３１の先端を電柱側に向けて、ケーブル布設具３０を保持する。このとき、この作業員が作業し易いように、伸縮棒３１の第５段の上面に肩掛けベルトを取り付けて、この作業員が肩掛けベルトを肩に掛けてケーブル布設具３０を保持するようにしてもよい。
【００２４】
続いて、家屋側の作業員は、先端にフック３３が取り付けられたロープ３４をケーブル布設具３０の伸縮棒３１の根元から先端に向けて伸縮棒３１内を貫通させたのち、図６（ｂ）に示すようにフック３３をケーブル布設具３０のリング３２に引っ掛けて、ロープ３４を伸縮棒３１の先端部に固定する。
【００２５】
続いて、家屋側の作業員は、図７（ａ）〜（ｄ）に示すように、伸縮棒３１の先端が電柱側の作業員に届くまで伸縮棒３１を第１段から第４段の順番で電柱に向かって伸ばしていく。これにより、ロープ３４は、伸縮棒３１によって引っ張られて家屋から電柱に向かって送り出されていく。
【００２６】
伸縮棒３１の先端が届くと、電柱側の作業員は、図８（ａ）に示すようにフック３３をケーブル布設具３０のリング３２から取り外したのち、図８（ｂ）に示すように光ドロップケーブル１の先端に取り付けられたリングにフック３３を引っ掛ける。
【００２７】
続いて、家屋側の作業員は、図８（ｃ）に示すように、ケーブル布設具３０のリール３５を回転させて、光ドロップケーブル１が図８（ｄ）に示すように伸縮棒３１の先端から出てくるまでロープ３４を巻き取る。これにより、光ドロップケーブル１が電柱から家屋に向かって布設される。このとき、光ドロップケーブル１は伸縮棒３１によって保護されているため途中に樹木があっても樹木と接触することはないので、光ドロップケーブル１が布設中に傷付くことはない。
【００２８】
続いて、家屋側の作業員は、光ドロップケーブル１の先端に取り付けられたリングからフック３３を取り外したのち、図９（ａ）〜（ｄ）に示すようにケーブル布設具３０の伸縮棒３１の第５段が家屋側の作業員に届くまで伸縮棒３１を第４段から第１段の順番で家屋側に向かって引き寄せていく（すなわち、伸縮棒３１を縮めていく）。
【００２９】
伸縮棒３１の第１段が届くと、家屋側の作業員は、ケーブル布設具３０を光ドロップケーブル１に沿って光ドロップケーブル１の先端に向かって移動させることにより、光ドロップケーブル１の先端からケーブル布設具３０を抜き取る。
【００３０】
なお、ケーブル布設棒３０の長さが足りなかったときには、円筒状（中空）の延長棒を用意しておき、この延長棒を伸縮棒３１の第５段に接続するようにすればよい。
このとき、図１０（ａ）に示すように延長棒４１の側面にロープ３４を通すことができる直線状の開口面４２を形成しておくことにより、リール３５を伸縮棒３１の第５段から延長棒４１に移動する作業を容易に行えるようにすることができる。
【００３１】
以上の説明では、光ドロップケーブル１を電柱から家屋へ引き込む場合を例として説明したが、本発明のケーブル布設方法は、光ドロップケーブルや細い電線のように被覆が破損し易いケーブルを布設するのに用いることができる。
【図面の簡単な説明】
【００３２】
【図１】本発明の第１の実施例によるケーブル布設方法において使用されるケーブル布設具１０の構成を示す図である。
【図２】図１に示したケーブル布設具１０を用いて電柱から家屋へ光ドロップケーブル１を引き込む際の作業手順について説明するための図である。
【図３】図１に示したケーブル布設具１０を用いて電柱から家屋へ光ドロップケーブル１を引き込む際の作業手順について説明するための図である。
【図４】図１に示したケーブル布設具１０を用いて電柱から家屋へ光ドロップケーブル１を引き込む際の作業手順について説明するための図である。
【図５】本発明の第２の実施例によるケーブル布設方法において使用されるケーブル布設具３０の構成を示す図である。
【図６】図５に示したケーブル布設具３０を用いて電柱から家屋へ光ドロップケーブル１を引き込む際の作業手順について説明するための図である。
【図７】図５に示したケーブル布設具３０を用いて電柱から家屋へ光ドロップケーブル１を引き込む際の作業手順について説明するための図である。
【図８】図５に示したケーブル布設具３０を用いて電柱から家屋へ光ドロップケーブル１を引き込む際の作業手順について説明するための図である。
【図９】図５に示したケーブル布設具３０を用いて電柱から家屋へ光ドロップケーブル１を引き込む際の作業手順について説明するための図である。
【図１０】図５に示したケーブル布設棒３０の長さが足りなかったときに使用する延長棒４１について説明するための図である。
【符号の説明】
【００３３】
１  光ドロップケーブル
１０，３０  ケーブル布設具
１１，３１  伸縮棒
１２，３２  リング
２１，３４  ロープ
２２，３３  フック
３５  リール
４１  延長棒
４２  開口面
【図１】
0004919915.tif 000002
【図２】
0004919915.tif 000003
【図３】
0004919915.tif 000004
【図４】
0004919915.tif 000005
【図５】
0004919915.tif 000006
【図６】
0004919915.tif 000007
【図７】
0004919915.tif 000008
【図８】
0004919915.tif 000009
【図９】
0004919915.tif 000010
【図１０】
0004919915.tif 000011